(57)【要約】【解決手段】垂直軸風力タービン１は、回転軸とタービン回転軸から距離をあけて軸まわりの回転のために装着された少なくとも１つのブレード２とをもつタービンロータを備える。ブレードは、回転軸に実質的に平行であり、使用時にタービンロータに入射する風に連動する少なくとも１つの長手表面をもつ。ブレードは第１ブレード前部７が第２ブレード後部８に枢動可能に接続された二部式ブレードである。タービンはブレードのピッチとキャンバーを制御するピッチ制御手段とキャンバー制御手段を含む。ピッチ制御手段は第１ブレード前部上の枢軸であり、ピッチ枢軸２４は第１物理的経路構成要素１０により画定されるピッチ進路に沿って案内可能である。キャンバー制御手段は第２ブレード後部上のキャンバー枢軸２７であり、キャンバー枢軸は第２物理的経路構成要素１１により画定されるキャンバー進路に沿って案内可能である。【選択図】図５
2016502017.tif 000002
【特許請求の範囲】
【請求項１】
タービン（１）であって、回転軸と、タービンの前記回転軸から距離をあけて配置されかつ当該軸まわりの回転のために装着された少なくとも１つのブレード（２）と、を有するタービンロータを備え、ブレードは、前記回転軸に実質的に平行であり、使用時においてタービンロータに入射する流体と係合する少なくとも１つの長手表面を有し、ブレードは、第１のブレード前部（７）が第２のブレード後部（８）に枢動可能に接続された二部式のブレードであり、タービンは、ブレードのピッチ及びキャンバーを制御するピッチ制御手段及びキャンバー制御手段をさらに備え、ピッチ制御手段は、ピッチ枢軸（２４、４１）を備え、第１のブレード前部は、ピッチ枢軸まわりに枢動するよう配設され、ピッチ枢軸は、第１の物理的経路構成要素（１０）によって画定されるピッチ進路に沿って案内可能であり、キャンバー制御手段は、キャンバー枢軸（２７、６５）を備え、第２のブレード後部は、キャンバー枢軸まわりに枢動するよう配設され、キャンバー枢軸は、第２の物理的経路構成要素（１１）によって画定されるキャンバー進路に沿って案内可能であるタービン。
【請求項２】
ピッチ進路及びキャンバー進路はそれぞれ実質的に円形である、請求項１に記載のタービン。
【請求項３】
ピッチ進路及び／またはキャンバー進路はそれぞれ実質的に円形の進路を定め、それら円形進路の中心が相互にかつタービンロータの回転軸からオフセットされている、請求項２に記載のタービン。
【請求項４】
ピッチ進路は、タービンロータ回転軸からオフセットされた軸まわりに回転するピッチベアリング（３６）に結合されたロッド（３９）の末端によって画定され、キャンバー進路は、タービンロータ回転軸からオフセットされた軸まわりに回転するキャンバーベアリング（３７）に結合されたロッド（３９）の末端によって画定されており、ピッチ及びキャンバーのロッドの末端がピッチ及びキャンバーの枢軸（４１、６５）にそれぞれ枢動可能に連結されている、請求項１から３のいずれかに記載のタービン。
【請求項５】
タービンブレード（２）のピッチ及びキャンバーの枢軸（４１、６５）は、別個のロッド（３９）に連結され、それぞれのロッドがピッチまたはキャンバーの別個のベアリング（３６、３７）に連結されている、請求項４に記載のタービン。
【請求項６】
少なくとも２つのタービンブレード（２）を備え、タービンブレードごとのピッチ及びキャンバーの枢軸（２４、２７）がそれぞれ別個のロッド（３９）に連結され、それぞれのロッドがピッチまたはキャンバーの別個のベアリング（３６、３７）に連結されている、請求項５に記載のタービン。
【請求項７】
ピッチ進路は、第１のピッチガイドレール（１０）によって画定され、キャンバー進路は、第２のキャンバーガイドレール（１１）によって画定される、請求項１から３のいずれかに記載のタービン。
【請求項８】
少なくとも２つのブレード（２）を備え、少なくとも２つのブレードのピッチ及びキャンバーの枢軸（２４、２７）がそれぞれ単一のピッチ（１０）及び単一のキャンバーガイドレール（１１）にそれぞれ連結されている、請求項７に記載のタービン。
【請求項９】
ピッチ進路またはキャンバー進路の一方は、タービン回転軸からオフセットされた軸まわりに回転するベアリング（３６、３７）に結合されたロッド（３９）の末端によって画定され、ロッドの末端がピッチまたはキャンバーいずれかの枢軸（２４、２７）に枢動可能に連結されており、ピッチ進路またはキャンバー進路の他方は、ピッチまたはキャンバーのガイドレール（１０、１１）によって画定される、請求項１から３のいずれかに記載のタービン。
【請求項１０】
使用時において、ピッチ及び／またはキャンバーのベアリング（３６、３７）、または、ピッチ及び／またはキャンバーのガイドレール（１０、１１）の位置が固定されている、請求項１から９のいずれかに記載のタービン。
【請求項１１】
ピッチ及び／またはキャンバーのベアリング（３６、３７）、または、ピッチ及び／またはキャンバーのガイドレール（１０、１１）の位置が制御可能に調整可能である、請求項１０に記載のタービン。
【請求項１２】
ピッチ及び／またはキャンバーのベアリング（３６、３７）、または、ピッチ及び／またはキャンバーのガイドレール（１０、１１）の位置がリニアアクチュエータによって制御される、請求項１１に記載のタービン。
【請求項１３】
一軸または二軸において調整が可能である、請求項１１または１２に記載のタービン。
【請求項１４】
各ブレード部分（２）は、ブレード長手軸を実質的に横断する第１（１２、１６）及び第２（１３、１７）の対向横断表面を含み、ブレード前部（７）またはブレード後部（８）の一方は、ブレード前部またはブレード後部の第１及び第２の横断表面からそれぞれ突出する第１（１８）及び第２（２０）の枢軸ロッドを含み、第１の枢軸ロッドは、ピッチまたはキャンバーの枢軸（２４、２７）の一方を形成するようブレード前部またはブレード後部いずれか一方に連結され、第２の枢軸ロッドは、ピッチまたはキャンバーのガイドレール（１０、１１）の一方に従動するよう配設されたフォロア機構（２３、３０）、または、ピッチまたはキャンバーのベアリング（３６、３７）の一方に接続されたロッド（３９）のいずれかに連結されている、請求項１から１３のいずれかに記載のタービン。
【請求項１５】
第１の枢軸ロッド（１８）は、ブレード前部（７）またはブレード後部（８）の一方から突出し、ブレード前部またはブレード後部の他方に連結されている、請求項１４に記載のタービン。
【請求項１６】
ブレード前部（７）またはブレード後部（８）の第２の一方は、ピッチまたはキャンバーのガイドレール（１０、１１）の一方に従動するよう配設されたフォロア機構（２３、３０）、または、ピッチまたはキャンバーのベアリング（３６、３７）の一方に接続されたロッド（３９）のいずれかに枢動可能に連結されている、請求項１４または１５に記載のタービン。
【請求項１７】
ブレード前部（７）またはブレード後部（８）の一方は、第１の枢軸ロッド（１８）によって、ピッチまたはキャンバーのガイドレール（１０、１１）のいずれか一方に、または、ピッチまたはキャンバーのベアリング（３６、３７）の一方に連結され、ブレード前部及びブレード後部の第２の一方は、ピッチまたはキャンバーのガイドレールの他方に従動するよう配設されたフォロア機構（２３、３０）、または、ピッチまたはキャンバーのベアリング（３６、３７）の一方に接続されたロッド（３９）のいずれかに枢動可能に連結されている、請求項１４から１６のいずれかに記載のタービン。
【請求項１８】
第２の枢軸ロッド（２０）は、ピッチまたはキャンバーのガイドレールの他方に従動するよう配設されたフォロア機構（２３、３０）またはロッド（３９）に枢動可能に連結され、突出する枢軸ロッドの一方は、キャンバーまたはピッチの枢軸（２４、２７）の一方を形成する、請求項１７に記載のタービン。
【請求項１９】
第１及び第２の枢軸ロッド（１８、２０）は、ブレード後部（８）から突出し、第１の枢軸ロッドは、ピッチ枢軸（２４）の一部を形成するようブレード前部（７）に接続されている、請求項１４から１８のいずれかに記載のタービン。
【請求項２０】
第２の枢軸ロッド（２０）は、キャンバー枢軸（２７）を形成する、請求項１８または１９に記載のタービン。
【請求項２１】
請求項１から２０のいずれかに記載の垂直軸風力タービン。
【請求項２２】
第１横断表面（１２、１６）及び第２横断表面（１３、１７）は、それぞれのブレード（２）部分の上面及び下面である、請求項１４から２１のいずれかに記載のタービン。
【請求項２３】
ピッチ進路及びキャンバー進路は、少なくとも１つのブレード（２）の下方に配設されている、請求項２２に記載のタービン。
【請求項２４】
請求項１から２０のいずれかに記載の垂直軸潮力タービン。
【請求項２５】
第１横断表面（１２、１６）及び第２横断表面（１３、１７）は、それぞれのブレード部分（２）の下面及び上面である、請求項１４から２０のいずれかに記載の垂直軸潮力タービン。
【請求項２６】
ピッチ進路及びキャンバー進路は、少なくとも１つのブレード（２）の上方または側方に配設されている、請求項２５に記載のタービン。
【請求項２７】
請求項１から２０のいずれかに記載の少なくとも２つのタービンを含むサイクロジャイロ。
【発明の詳細な説明】
【技術分野】
【０００１】
本発明は、風力タービンとして使用されるタービンに関する。本発明は、回転軸をもちそのタービン回転軸から距離をあけて配置されたブレードを含むタービンロータを有し、ブレード長手軸がロータ回転軸に実質的に平行であるタービンに関する。本発明の実施の形態は、垂直軸風力タービンの一部として使用される場合にとりわけ有利であるが、本発明は、潮力タービンなどの水力駆動タービンにも適用可能である。
【背景技術】
【０００２】
ダリウス型の垂直軸風水力タービンはよく知られている（例えば、ＵＳ２０１１／０００６５２６を参照）。こうしたタービンはいくつかの知られた欠点を有し、これには低効率、起動トルクの不足、及び過剰な振動が含まれる。これら欠点のいくらかを克服するために、いくつかのタービン構成が提案されており、それらはタービンのブレードのピッチを調整するための機構を有する。ダリウス型タービンは、期待されるほどには効率的でも有効でもなかった。それは、実用の設計及び現実の風条件（これらが整合することは疑わしい）により課される物理的な負荷及び制約のためであると考えられる。さらに、ダリウス型タービンを自己起動させることは困難である。
【０００３】
ダリウス型または垂直軸の風力タービンの性能を向上するためのいくつかの構成が提案されている。
【０００４】
迎角とは、流入する流体の方向とタービンブレード等の翼型の基準線との角度である。風力タービンブレード等の翼型のピッチ角またはピッチとは、風力タービンの基部などの固定された基準、または地平線に対し翼型がとる角度である。方向が変化しない風の中にある風力タービンについては、ピッチは迎角の大きさである。ピッチは、あるブレードの根本に与えられる角回転として定義されてもよい。翼型のピッチは、流入する流体（例えば、風力タービンへの風）によって翼型に作用するトルクに影響し、故に、翼型ブレードを含むタービンからの出力に影響するものと認められている。垂直軸風力タービンのブレードのピッチを制御するための種々の構成が知られている。ＵＳ２０１１／０００６５２６Ａ１、ＷＯ２０１１／１３０７９７Ａ１、ＷＯ２０１１／１４４８３０Ａ１、ＦＲ２９２４１８２Ａ１、ＵＳ３３８２９３１Ａ１、及びＷＯ２０１／０３０５５６９Ａ１に開示されるような構成は、カム構成を使用して垂直軸風力タービンのブレードのピッチを制御することを指向する。そのカム構成によると、中心に配置されたカムが設けられ、ブレードに連結されたカムフォロアがカムに従動し、それによってブレードを、それがタービン回転軸まわりに移動するにつれて枢動する。
【０００５】
ＷＯ２０１１／１３０７９７は、シャフトまわりに配置されるとともに各ブレードの後端にリンクまたはラインを介して連結されたリングまたはガイドの形をとり、タービンロータの回転中に各ブレードのピッチを制御するピッチ制御手段をもつ風力タービンを開示する。リングまたはガイドは、それ自身がタービンの回転とともに移動することができるように装着されている。リングまたはガイドの移動を許容する機構は、ブレードの位置が風の強さ及び方向によって部分的に決定されるようにして、それが少なくとも部分的な自己調整をもたらすという受動的な制御システムを生成する。この構成は製作するのに複雑であり、故障しやすい。また、ＷＯ２０１１／１３０７９７のような受動的な制御システムは、ブレードのキャンバーの制御を提供することができない。
【０００６】
ＦＲ２９２４１８２は、ピッチを制御するカム構成をもつ風力タービンを開示する。中心の不規則なカムトラックがタービンロータ回転軸まわりに設けられ、複数のカムフォロアがアームまたはリンクによって複数のブレードに接続されている。複数のカムフォロアへの一連のリンクをもつ単一の中心不規則カムトラックという構成は、振動する複雑な構成をもたらし、これは多様な風況に合わせて調整することが非常に難しい。中心カムフォロアをそれぞれのブレードに接続する制御ロッドまたはリンクが示されており、それらはそれぞれの支持アームに平行である。しかし、それらロッドまたはリンクは使用時に、アームに平行でない角度にブレードを引っ張らなければならないであろう。これにより、高い摩擦力や振動が生じるだろう。
【０００７】
ＵＳ３３８２９３１、ＵＳ２０１１／０００６５２６、ＷＯ２０１１／１４４８３０、及びＵＳ２０１１／０３０５５６９はいずれも、ダリウスによって提案された原型の構成に類似する構成を開示する。ここでピッチ制御は、タービンロータ回転軸に対し偏心した場所まわりに回転するよう中心のピッチ制御ユニットに接続されたリンクまたはロッドを設けることによって実現されている。こうした構成もまた、過剰な振動とそれによる損失を被る。
【発明の概要】
【０００８】
本願発明者は、剛体の複数ロッドまたはリンクが共通の中心ハブまたは枢軸に接続されているという構成が変形及び振動をもたらすのは、タービンの両側がそれぞれ非常に異なる風条件にさらされることで両側のリンクまたはロッドに異なる力が作用してアンバランスが生じるという事実に起因することを認識した。垂直軸風力タービン用のピッチ制御デバイスに商業的成功を収めたものはない。多くの設計例があったが、その入手可能な試験データの中に有望なものはない。振動や摩擦、低性能という課題があり、既存の知られた構成はこれを充分に解決していない。
【０００９】
垂直軸風力タービンの毎回の回転の間におけるタービンの迎角の大きな変化（及び、その結果生じ、疲労及びタービン性能低下の原因となる動的荷重の顕著な変動）への答えは可変のピッチであるようにみえるが、成功した設計は見出されていない。したがって、公知の垂直軸タービンはそうであったかもしれないほど強力ではなく、ピッチ制御を有しない現在の垂直軸の設計には疲労による影響がある。
【００１０】
ＵＳ３３８２９３１、ＵＳ２０１１／０００６５２６、ＦＲ２９２４１８２、ＷＯ２０１１／１３０７９７、及びＵＳ２０１１／０３０５５６９は、いくつかのブレードのブレードピッチ角が、タービンブレード回転軸からオフセットされた軸まわりに回転する中心カムトラックまたは単一の中心軸受に各ブレードを接続するロッドによって制御される風力タービンを開示する。上述のように、単一の中心トラックまたは軸受からいくつかのブレードへと延出するロッドというこの構成が貧弱な性能をもたらすことは、本願発明者が初めて認識したものである。この貧弱な性能の理由は完全には明らかでないが、次の通りであると考えられる。ブレード及びロッドが実際には完全な剛体ではないので、ブレードが回転するとき回転位置の差異による力の差異によってブレード間の距離がわずかに変わることが避けられないためであろう。これら差異は振動を引き起こす。回転が速いほど、及び／または、風速または流速が速いほど、これらの効果は、回転中の異なる位置間の力の差異が大きくなるので強くなる。
【００１１】
タービンブレード等の翼型のキャンバーは、実効的に翼型の外形または湾曲である。翼型のキャンバーは、キャンバーライン、すなわち翼型の上面と下面との中間となる曲線によって定義されてもよい。ＵＳ２０１０／００９６８５４Ａ１は、能動的に制御することができる垂直軸風力タービンを開示する。各ブレードが二部式であり、各ブレードのピッチ及びキャンバーが、ブレード内またはブレード近傍に配設され各ブレードの二部分を制御可能に移動させることでブレードのピッチ及びキャンバーを変化させるモータによって制御される。この構成は各モータを制御するために複雑なデータ処理を要する。また、ブレード部分をそれらの回転中に動かすのに必要な力は大きいので、モータは強力でなければならず、正確に制御するのは難しい。
【００１２】
また、ＵＳ２０１０／００５４９３６及びＤＥ２０２０１０００２０４６Ｕは、個々の風力タービンブレードのキャンバー（及び／またはピッチ）を、タービンブレード内または近傍に配置されたコンピュータ制御されたアクチュエータを使用して制御する構成を開示する。ＵＳ２０１０／００９６８５４について上で論じたように、使用時にブレードは素早く動き、大きな力にさらされる。したがって、ブレードを制御するのに適するアクチュエータまたはモータは、動いているブレードの迎角またはピッチ、及び、外形またはキャンバーを変化させるよう非常に強い力を提供することができなければならない。そのため、必要なアクチュエータまたはモータは高価であり、故障しやすい。さらに、ブレードまたはその近傍にアクチュエータを配置することによって、アクチュエータのメンテナンスまたは交換がしにくくなり、手間がかかり、高価となる。
【００１３】
ＷＯ２００４／０７９１８７は、受動的なキャンバー案内をもつ風力タービンを開示する。これは、キャンバーの正確な制御を可能としないので、ブレードそれぞれの回転中の異なる位置でのキャンバー特性の最適化も可能としない。
【００１４】
本発明は、これから言及される請求項１に規定されるタービンを提供する。本発明の実施の形態の好ましい特徴もまたこれから言及される従属請求項に記述される。
【００１５】
本願発明者は、ＵＳ２０１０／００９６８５４のもののようなシステムに付随する複雑で困難な制御という課題への解決策が、精密で故障しがちな電子制御ではなく単純でロバストな物理的または機械的制御を使用してキャンバー及びピッチを制御するという直感に反した手段によって実現可能であることを初めて認識した。本発明者は、物理的または機械的なカム型の制御構成がタービンブレードのピッチとキャンバーの両方を効果的に制御するために使用可能であり、こうした制御が垂直軸風力タービンの効率を顕著に改善できることを初めて認識した。
【００１６】
本発明の実施の形態は、ピッチ枢軸及びキャンバー枢軸がそれぞれ第１及び第２の物理的構成要素により画定され設定される進路をたどることを保証することによって、ピッチとキャンバーの両方の能動制御を提供する。ピッチ進路及びキャンバー進路をそれぞれ画定する第１物理的構成要素及び第２物理的構成要素は分離された構成要素であってもよい。
【００１７】
本発明の好ましい実施の形態において使用される解決策は、ブレードごとの制御を分離するが、ピッチ枢軸進路を画定する物理的構成要素を設けることによって正確な位置決めを保持するというものである。好ましくは、複数の独立したオフセット偏心ベアリングがブレードごとに設けられ、または、そのオフセットベアリングがオフセットガイドレールに置き換えられる。オフセットガイドレールが使用される場合には、ブレードごとの案内機構がブレードの回転中にガイドに沿って分離状態をとりうるので、ブレードごとに複数の分離されたガイドレールを有する必要はもはやない。
【００１８】
振動を低減し層流を改善するために、ブレードは自身のキャンバーを変更可能でなければならない。第２の物理的構成要素は、それを実現するとともに回転中に層流を維持するための、ある定められたキャンバー枢軸進路を提供する。好ましくは、一組のオフセット偏心ベアリングまたはガイドレールが第２の物理的進路を提供する。
【００１９】
好ましくは、ピッチ進路及びキャンバー進路はそれぞれ実質的に円形である。本発明者は、これがタービンの構造を大幅に単純化するとともに効率及び実効性を顕著に損なうことなくより容易に制御可能とすることを認識した。ＦＲ２９２４１８２のもののような不規則な構成は、最大の効率を得るために正確に調節されるのであるが、これは別の不規則な構成に容易に調整され得ない。また、不規則な構成を風向に合わせるための回転するヨーイング機構も必要である。
【００２０】
好ましくは、ピッチ及びキャンバーのベアリングまたはピッチ及びキャンバーのガイドレールの位置は、制御可能に調整可能である。
【００２１】
好ましくは、ピッチ及びキャンバーのベアリングまたはピッチ及びキャンバーのガイドレールの位置は、リニアアクチュエータによって制御される。オフセット偏心ベアリングまたはガイドがリニアアクチュエータ上に配置される場合、ブレードのキャンバー及びピッチを回転速度及び風速に合わせて容易に変更することができる。もしオフセットが反転されると、それはブレードのストールを誘起するために使用され、タービンを安全に停止することができる。
【００２２】
オフセット偏心ベアリングまたはガイドレールがそれらを二軸に移動することができるリニアアクチュエータに装着される場合、これらはベアリングまたはガイドのオフセットを任意の有用な位置に動かすことによってヨーイング機構として動作することができる。
【００２３】
本発明の実施の形態が下記の添付の図面を参照して限定的でない例として以下に説明される。
【図面の簡単な説明】
【００２４】
【図１】３つのタービンブレードと、一方のガイドレールがブレードのピッチを制御し一方のガイドレールがブレードのキャンバーを制御する２つのオフセットガイドレールと、を有する本発明の第１の実施の形態を示す。
【図２】図１の実施の形態の中心垂直軸とブレード支持アームを示す。
【図３】図１の実施の形態のためのブレード及びガイドレールの構造を示す。
【図４】図１のブレードの頂部の詳細図である。
【図５】図１のブレードの底部を示す図である。
【図６】より高い仰角からの図５に対応する別の図である。
【図７】あるブレードの制御、及びそのブレードが回転するときのピッチとキャンバーの制御の概略図である。
【図８】図７の概略図の一部分の詳細図である。
【図９】図１から図８の実施の形態のためのヨーイング機構を示す。
【図１０】ガイドレールを取り外した状態での図９のヨーイング機構の別の図である。
【図１１】リニアアクチュエータがピッチガイドレール及びキャンバーガイドレールの一軸における移動を許容するオフセットガイドレール固定部の詳細図である。
【図１２】図１１に示される構成の別の拡大図である。
【図１３】ヨーベーン機構を要しないガイドレールリニアアクチュエータの別の構成である。
【図１４】図１３の実施の形態のリニアアクチュエータの配置を示す上面図である。
【図１５】図１４のリニアアクチュエータ構成の側面図である。
【図１６】３つの調整可能なブレードと６つのオフセット偏心ベアリングを有する本発明の第２の実施の形態を示す。
【図１７】図１６の実施の形態のブレード、偏心ベアリング、及びプッシュロッドの構造を示す。
【図１８】図１６の実施の形態のブレード、偏心ベアリング、及びプッシュロッドの底部拡大図である。
【図１９】図１６の実施の形態のブレード、偏心ベアリング、及びプッシュロッドの側部拡大図である。
【図２０】図１６の実施の形態におけるヨーイング機構への偏心ベアリングの固定部を示す。
【図２１】図２０のヨーイング機構の下からの図である。
【図２２】図１６の実施の形態の偏心ベアリング固定部の配置を示す。
【図２３】リニアアクチュエータがピッチ偏心ベアリング及びキャンバー偏心ベアリングの一軸における移動を許容する図１６の実施の形態の偏心ベアリング固定部を示す。
【図２４】ヨーベーン機構を要しない別の偏心ベアリング固定構成である。
【図２５】潮力タービンとして使用される本発明の別の実施の形態を示す。
【図２６】図２５の実施の形態の側面図である。
【発明を実施するための形態】
【００２５】
以下の説明においては便宜及び参考のみのためにある種の用語が使用されるが、これは限定するものではない。例えば、「頂」、「底」、「下」、「上」との語は参照される図面における方向に言及する。上記用語は、具体的に言及した語、それらの派生、及び、同様の趣旨または機能的に同一と当業者に理解される語を含む。
【００２６】
図１及び図２を参照するに、垂直軸風力タービン１は、３つのタービンブレード２を備え、これらは垂直軸を定める中心垂直ロッド３まわりに回転する。この垂直ロッドは、アーム４の対によってタービンブレードに連結されている。アーム４の対は、各タービンブレード２の頂部及び底部に接続する。水平支持アーム４は、中心垂直ロッド３に剛体的に接続されており、中心垂直ロッド３は、基部６にて支持部５まわりに回転することができる。中心垂直ロッド３、水平支持アーム４、及びブレード２はともに、垂直軸風力タービン１のロータを形成する。
【００２７】
各ブレードは、２つの部分を有する（図５参照）。すなわち、ブレード前部７とブレード後部８である。
【００２８】
各ブレードの底部９は、一対のガイドレール１０、１１に連結されている。これらガイドレールはそれら自身が風力タービン１の基部６によって支持されている。あるいは、そうでなければ、垂直軸風力タービンの底部に支持され保持されている。
【００２９】
図４、図５、及び図６を参照するに、第１のブレード前部７は、ブレード前部の頂端１２及び底端１３から突出するロッド６５を含み、ベアリング構成１４によって水平ブレード支持アームに連結されている。第２のブレード後部８は、図４に示す方向Ａにブレード前部７に対し回転することができるように配設されている。ロッド１５は、ブレード後部８の前方を頂部１６から底部１７へと貫通するとともに当該前方に連結されている。このロッド１５の上端１８は、ベアリング１９を介して前方またはブレード前部７に枢動可能に連結されている。また、その底端２０にて、上端に関し説明したのと同様にしてベアリング２１を介してブレード前部７へと、かつ従動ベアリング２４を介してカムフォロア構成２３へと、枢動可能に連結されている。カムフォロア構成２３は、ピッチ制御のガイドレールまたはカムトラック１０に連結されこれをたどる。カムフォロア２３は、上記の中心ベアリング２４を備え、これに４つの回転ベアリング２５が取り付けられている。４つのベアリングは、円形のプレート状要素を備えるガイドレール１０の周囲に配置されている。この構成は、ピッチまたはブレード前部７の角度が水平支持アーム４の端部とピッチ制御ガイドレール１０の対応部分との半径方向距離に応じて変化することを意味する。
【００３０】
Ｕ字形アーム２９が接続アーム２８に剛体的に接続されている。接続アーム２８は、ロッド１５の底端２０に剛体的に接続されている。このアーム構成２８、２９は、ロッド１５の底端２０をベアリング２７を介して、キャンバー制御のガイドレールまたはカムトラック１１に係合する第２カムフォロア３０に枢動可能に連結するために使用されている。このキャンバーカムフォロアがピッチカムフォロアと同様であるのは、ピッチカムフォロア２３について上述したように４つのベアリング２６が取り付けられた上記の単一中心ベアリング２７を備える点である。４つのベアリング２６は、キャンバーガイドレールまたはカムトラックを画定する円形のプレート状ガイドレール１１の周囲に配置されている。カムフォロア３０は、上記の中心ベアリング２７によってアーム構成２８、２９の底部に装着されている。アーム２８、２９の形は、ガイドレール１０、１１が交差する空間がありかつピッチカムフォロア２３とキャンバーカムフォロア３０が互いに干渉しないように定められている。
【００３１】
キャンバーガイドレール１１及びこれとキャンバー従動ベアリング３０の相互作用は、ブレード前部７に対するブレード後部８の枢動の制御をもたらし、それによりブレード２のキャンバーを制御可能に変化させる。
【００３２】
図９に示されるように、ガイドレール１０、１１及びブレード２は、入射する風の方向が変わるにつれて当該機構を回転させるヨーイング機構３１上に配設されている。ヨーイング機構３１は、タービンの基部に回転可能に連結された円形プレート３２を備える。プレート３２は、入射する風に当該ベーンの向きを合わせるためのヨーベーン３３を有する。図１０からわかるように、その上にガイドレールを配置するプレート上に固定部３４が配置されている。
【００３３】
本発明の別の実施の形態においては、図１１から図１５に示されるように、ガイドレール固定部は、ピッチ及びキャンバーのガイドレール１０、１１を制御可能に移動させることができるリニアアクチュエータ３５上に位置する。リニアアクチュエータ３５は、ピッチレール及びキャンバーレールを制御可能に移動させ、それによりピッチ及びキャンバーを異なる諸条件に調整するために使用されてもよい。回転速度が見かけの風を大きくし、それ故にピッチを変化させる必要があるので、リニアアクチュエータは、速度を最適化するために使用されてもよく、そうしてキャンバーが風速に最適化されてもよい。緩風条件においてはこれが回転速度を最大化することでありうる。
【００３４】
図１３に示される実施の形態は、風向ベーン６０及び風速計６１を含む。これらによって検知される風向及び風速がリニアアクチュエータ３５を制御するために使用される。
【００３５】
風力タービンまたは風力発電機は最適な運転範囲を有するので、強風条件においては速度を低減しなければならないことがありうる。これをピッチ及び／またはキャンバーを変化させることによって実現することができる。
【００３６】
極端な風条件においては、ピッチ枢軸の半径の反対側にある場所にピッチ及びキャンバーのオフセットを動かすことによって、タービンを停止させまたは失速させることも可能である。
【００３７】
図１６、図１７、図１８、図１９に示される本発明の別の実施の形態においては、円形のピッチ及びキャンバーのガイドレールが、ブレード２ごとの個別かつ分離されたピッチ及びキャンバーの制御構成に置き換えられている。それぞれの制御は、枢軸ロッド構造に接続されたオフセット偏心ベアリング３６及びプッシュロッド３９を備える。その構造の残りの部分は図１２及び図１５に関連して上述した構造と同様である。ある反復的なブレードの、ブレード前部７にはピッチ旋回点４０、またはブレード後部８にはキャンバー旋回点４１。垂直軸風力タービン１は、３つのタービンブレード２を備え、これらは垂直軸を定める中心垂直ロッド３まわりに回転する。この垂直ロッドは、各タービンブレード２の頂部及び底部に接続するアーム４の対によってタービンブレードに連結されている。水平支持アーム４は、中心支持ロッド３に剛体的に接続されており、中心支持ロッドは、その基部にて支持部まわりに回転することができる。中心支持ロッド、水平支持アーム、及びブレードはともに、垂直軸風力タービンのロータを形成する。
【００３８】
図１７、図１８、図１９を参照するに、ブレード前部７は、反復的なベアリング構成４２によって頂端及び底端にて水平ブレード支持アーム４に連結されている。ブレード後部は、ブレード前部７に対し回転することができるように配設されている。
【００３９】
ロッド４３は、ブレード後部８の前方を頂部から底部へと貫通する。このロッド４３の上端はベアリング（図示せず）を介して前方またはブレード前部に連結されるとともに、その底端にてベアリング４４を介して前方またはブレード前部７へと連結されている。ロッド４３の底部は、ロッド４６及びベアリングを介してロッド３９に連結されている。ロッド３９は、ブレードのピッチを制御する偏心ベアリング３６に剛体的に接続する。Ｌ字形アーム４７は、ブレード後部のロッド４３に、ブレード後部の尾部の方向に水平に剛体的に接続し、これはベアリングを介して、ブレードのキャンバーを制御する第２偏心ベアリング３７のプッシュロッドに連結されている。
【００４０】
図２０、図２１、図２２を参照するに、偏心ベアリングは、入射する風の方向が変わるにつれて当該機構を回転させるヨーイング機構３１上に配設されている。ヨーイング機構は、タービンの基部に回転可能に連結された円形プレート３２を備える。プレートは、入射する風に当該ベーンの向きを合わせるためのヨーベーン３３を有する。固定部３４がプレート上に配置されその上に偏心ベアリングが位置する。
【００４１】
図２３を参照するに、本発明の別の実施の形態においては、偏心ベアリングは、ピッチ及びキャンバーの偏心ベアリングを一軸において制御可能に移動することができるリニアアクチュエータ３５上に位置する。
【００４２】
図２４を参照するに、本発明の別の実施の形態においては、偏心ベアリングは、ピッチ及びキャンバーの偏心ベアリングを二軸において制御可能に移動することができるリニアアクチュエータ４８上に位置しており、それにより回転するヨーベーン機構の必要性を置き換える。
【００４３】
図２５及び図２６を参照するに、浮遊式水力タービン４９として適するように、ウォーターフロート５０が垂直軸タービンに配設されている。ブレード頂部の接続ロッドが延長されており、それによって、頂部の水平支持アーム、制御ガイドレール、及びリニアアクチュエータが水に接触しない。それ以外のタービンの構造は図１から図２３に示す実施の形態について説明したものと同じであるが、反転されまたは上下が逆である。
【００４４】
本発明の実施の形態は、運動する任意の流体からエネルギーを取り出すのに好適である。適する流体及び環境は、運動する空気または風、及び潮流を含むが、これに限られない。
【００４５】
図１から図２６を参照して上述した本発明の実施の形態はいずれも実質的に鉛直なタービンロータ回転軸を有する。しかしながら、本発明は、ロータ回転軸が鉛直でない状況における使用、例えば、回転軸が実質的に水平でありうるサイクロジャイロまたは浅水域潮流装置に、同様に適用可能である。当業者であれば、こうしたタービンの構造が図１から図２６に関連して上述したものと同様でありうることを直ちに認識するであろう。
【図１】
2016502017.tif 000003
【図２】
2016502017.tif 000004
【図３】
2016502017.tif 000005
【図４】
2016502017.tif 000006
【図５】
2016502017.tif 000007
【図６】
2016502017.tif 000008
【図７】
2016502017.tif 000009
【図８】
2016502017.tif 000010
【図９】
2016502017.tif 000011
【図１０】
2016502017.tif 000012
【図１１】
2016502017.tif 000013
【図１２】
2016502017.tif 000014
【図１３】
2016502017.tif 000015
【図１４】
2016502017.tif 000016
【図１５】
2016502017.tif 000017
【図１６】
2016502017.tif 000018
【図１７】
2016502017.tif 000019
【図１８】
2016502017.tif 000020
【図１９】
2016502017.tif 000021
【図２０】
2016502017.tif 000022
【図２１】
2016502017.tif 000023
【図２２】
2016502017.tif 000024
【図２３】
2016502017.tif 000025
【図２４】
2016502017.tif 000026
【図２５】
2016502017.tif 000027
【図２６】
2016502017.tif 000028
【国際調査報告】
2016502017.tif 000029
2016502017.tif 000030
2016502017.tif 000031